(57)【要約】【課題】設計が容易で自由度も高い構成でありながら、名刺や会員証等の小サイズハード原稿を自動原稿送り装置側に設けた画像読取装置にて支障なく、読み取らせることができる原稿読取装置及びそれを備えた画像形成装置を提供する。【解決手段】共通搬送路ｆに含まれるストレート搬送路における、第２画像読取装置２２０が原稿を読み取る位置Ｐ１と、搬送される原稿がプラテン板１４２に接触する位置Ｐ２との間の搬送路長Ｌが、搬送可能な小サイズハード原稿の搬送方向における予め定められる原稿長よりも大きく設定されている。【選択図】図１
2011086988.tif 000002
【特許請求の範囲】
【請求項１】
原稿が載置される原稿載置トレイと、
原稿載置トレイより原稿を給紙して搬送する原稿給紙搬送部と、
前記原稿給紙搬送部によって搬送されてくる原稿の一方の面を、読取ガラスを介して読み取る第１読取部と、
前記第１読取部が原稿を読み取る第１読取位置と前記原稿載置トレイとの間に配設され、前記原稿給紙搬送部によって搬送されてくる原稿の他方の面を読み取る第２読取部と、
前記第１読取部を通過して原稿を排出する原稿排出トレイとを備え、
前記原稿給紙搬送部は、前記原稿載置トレイと第１読取位置との間を繋ぐ搬送路として、前記原稿載置トレイ側を上方にして傾斜した第１ストレート搬送路を有しおり、
前記第１ストレート搬送路における、前記第２読取部が原稿を読み取る第２読取位置と搬送される原稿が前記読取ガラスに接触する接触位置との間の搬送路長が、前記原稿給紙搬送部が搬送可能な、Ａ５サイズよりも小さく普通紙よりも硬い名刺や樹脂カード等の小サイズハード原稿の搬送方向における原稿長よりも大きく設定されていることを特徴とする原稿読取装置。
【請求項２】
前記小サイズハード原稿に含まれる原稿として、搬送方向における原稿長が異なる複数種類の原稿がある場合、
前記第１ストレート搬送路における、前記第２読取位置と前記接触位置との間の搬送路長は、前記小サイズハード原稿に含まれる搬送方向の原稿長がそれぞれ異なる複数種類の原稿のうち、搬送方向における原稿長が最も長い原稿に合わせて設定されていることを特徴とする請求項１に記載の原稿読取装置。
【請求項３】
前記第１ストレート搬送路における、前記第２読取位置と前記接触位置との間の搬送路長は、９１ｍｍよりも大きく設定されていることを特徴とする請求項１又は２に記載の原稿読取装置。
【請求項４】
前記原稿排出トレイとして、前記原稿載置トレイの上方に配設された第１原稿排出トレイと、前記原稿載置トレイの側方に配設された第２原稿排出トレイとの２つが設けられており、
前記原稿給紙搬送部は、前記第１読取位置から第１原稿排出トレイへと延びる湾曲搬送路と、
前記第１読取位置から第２原稿排出トレイへと延びる第２ストレート搬送路とを有することを特徴とする請求項１〜３の何れか１項に記載の原稿読取装置。
【請求項５】
前記原稿載置トレイに対して原稿を上向きにセットするようになっていることを特徴とする請求項４に記載の原稿読取装置。
【請求項６】
前記第１ストレート搬送路には、原稿を搬送するための一対のローラからなる搬送ローラ対が設けられており、
前記第１読取部の読取位置に最も近い搬送ローラ対は、前記第１読取部側に配されたローラの径が前記第２読取部側に配されたもう一方のローラの径よりも小さいことを特徴とする請求項１〜５の何れか１項に記載の原稿読取装置。
【請求項７】
前記第１読取位置には、該読取位置に搬送された原稿を、読取側の面とは逆側の面より押さえる読取ガイドが設けられており、
前記読取ガイドは、前記第２ストレート搬送路を搬送される原稿の搬送方向下流側を支点として回動自在に設けられていることを特徴とする請求項４又は５に記載の原稿読取装置。
【請求項８】
前記第２ストレート搬送路が、前記第２は原稿排出トレイ側を上方とする傾斜を有していることを特徴とする請求項４、５又は７に記載の原稿読取装置。
【請求項９】
請求項１〜８の何れか１項に記載の原稿読取装置を備えた画像形成装置。
【発明の詳細な説明】
【技術分野】
【０００１】
本発明は、複写機、複合機、ファクシミリ装置などの画像形成装置に備えられる原稿読取装置及び画像形成装置に関するものである。
【背景技術】
【０００２】
例えば、デジタル複写機である画像形成装置では、自動原稿送り装置（ＡＤＦ：Auto matic Document Feeder）を備えた原稿読取装置によって、原稿を自動的に読み取るようになっている。原稿読取装置においては、片面原稿だけでなく、両面原稿の読み取りも可能なものもある。
【０００３】
特許文献１には、原稿を片面ずつ読み取る原稿読取装置が開示されている。これにおいては、画像形成装置本体側に設けた画像読取装置にて、原稿の表面を読み取った後、原稿を反転させて、原稿裏面を再度読み取る。表裏の画像が読み取られた原稿は、Ｕターンパスを通して排紙されるか、ストレートパスを介して排紙される。
【０００４】
特許文献２には、原稿の両面をほぼ同時に読み取る原稿読取装置が開示されている。これにおいては、     ＡＤＦ内に設けられた画像読取装置にて原稿の一方の面を読み取り、画像形成装置本体側に設けられた画像読取装置にて、もう一方の面を読み取るようになっている。
【０００５】
また、特許文献３には、原稿の厚みに応じて、画像読取装置の読取位置を通過した原稿の搬送路（パス）を切り換える構成の原稿読取装置が開示されている。これにおいては、原稿の厚さを検出し、通常の厚さの原稿はＵターンパスを通して排紙し、厚い原稿はストレートパスを通して排紙するようになっている。これにより、カタログ等のある程度以上の厚さをもつ原稿にも対応可能となる。
【０００６】
さらに、近年、画像ファイリング技術の普及により、通常の原稿（Ａ５〜Ａ３サイズ）よりも小さく、かつ硬い、名刺や、免許証、或いは会員証等を読み取らせることのできる原稿読取装置も登場している。以下、本明細書において、このようなＡ５サイズよりも小さく、かつ普通紙よりも硬い、名刺や、免許証、或いは会員証等の原稿を、小サイズハード原稿と称する。免許証や会員証等は、樹脂シートでパウチ加工されたものである。
【０００７】
小サイズハード原稿を扱うことのできる従来の原稿読取装置においては、小サイズハード原稿も通常の原稿と同様に、Ｕターンパスを通して搬送している。
【先行技術文献】
【特許文献】
【０００８】
【特許文献１】特開平０６−１１５７８９号公報
【特許文献２】特開２００９−８８６９２号
【特許文献３】特開平１１−１２７３０１号公報
【発明の概要】
【発明が解決しようとする課題】
【０００９】
しかしながら、小サイズハード原稿は、硬いため、通常の原稿に比べて曲がり難い。そのため、Ｕターンパスを通す構成とした場合、ジャムが発生し易い。そこで、本願出願人は、小サイズハード原稿を扱うことのできる原稿読取装置として、特許文献１の原稿読取装置のように、画像読取装置の読取位置以降の搬送路をＵターンパスとストレートパスに分岐し、小サイズハード原稿についてはストレートパスを使って排紙する構成を考え、装置を試作してみた。また、試作機においては、両面同時読み取りを可能とするために、原稿載置トレイと画像形成装置本体側の画像読取装置の読取位置との間に、別の画像読取装置を配置した。以下、画像形成装置本体側の画像読取装置を第１画像読取装置、ＡＤＦ側の画像読取装置を第２画像読取装置と称する。
【００１０】
ところが、試作機にて小サイズハード原稿を読み取らせたところ、ＡＤＦ側の第２画像読取装置にて搬送ぶれを原因とした読み取りぶれが発生し、読み取り画像に筋や、濃淡の不具合が発生することが判明した。
【００１１】
原因を究明したところ、第２画像読取装置の読取位置がある、原稿載置トレイから第１画像読取装置の読取位置へと延びる搬送路が傾斜しているために、小サイズハード原稿の先端が、第１画像読取装置の読取位置手前付近でプラテン板に突き当たるように接触し、その振動で搬送ぶれが発生し、読み取りぶれが生じていることがわかった。
【００１２】
通常の原稿の場合は、搬送路におけるこの程度の角度の浅い屈曲に対しては、プラテン板に突き当たるように接触することはなく、プラテン板の面を滑るように搬送されるため、振動は生じない。これに対して、小サイズハード原稿は硬いために、搬送路の角度の浅い屈曲であっても、プラテン板に突き当たるように接触し、振動を生じてしまう。
【００１３】
なお、この課題を解決するために、特許文献３のように、プラテン板を原稿載置トレイから第１画像読取装置の読取位置までの搬送ガイドに利用して搬送路を水平にし、原稿載置トレイと第１画像読取装置の読取位置との間に、第２画像読取装置を設けるといった構成も考えられる。これによれば、小サイズハード原稿であっても搬送ぶれを生じることなく原稿の両面を読み取ることができる。
【００１４】
しかしながら、画像形成装置本体側に設けられた第１の画像形成装置の上にＡＤＦが設置される原稿読取装置の場合、原稿載置トレイから原稿を給紙する給紙ローラ対や給紙された原稿を搬送する搬送ローラ対における下方側ローラを、画像形成装置本体における第１画像読取装置が設けられている空間部分にもぐりこませる必要がある。また、複数枚の原稿がセットされた場合に、その最上位の原稿の高さをプラテン板の面と合わせる必要があるため、原稿載置トレイ自体も、第１画像読取装置が設けられている前記空間部分にもぐりこませる必要がある。そのため、プラテン板を原稿載置トレイから第１画像読取装置の読取位置までの搬送ガイドに利用して搬送路を水平にする構成は、設計上容易でなく、また、設計上の自由度も少なく、採用することが難しい。
【００１５】
本発明は、上記課題に鑑みなされたもので、設計が容易で自由度も高い構成でありながら、名刺や会員証等の小サイズハード原稿を、自動原稿送り装置側に設けた画像読取装置にて支障なく、読み取らせることのできる原稿読取装置及びそれを備えた画像形成装置を提供することを目的としている。
【課題を解決するための手段】
【００１６】
本発明の原稿読取装置は、上記課題を解決するために、原稿が載置される原稿載置トレイと、原稿載置トレイより原稿を給紙して搬送する原稿給紙搬送部と、前記原稿給紙搬送部によって搬送されてくる原稿の一方の面を、読取ガラスを介して読み取る第１読取部と、前記第１読取部が原稿を読み取る第１読取位置と前記原稿載置トレイとの間に配設され、前記原稿給紙搬送部によって搬送されてくる原稿の他方の面を読み取る第２読取部と、前記第１読取部を通過して原稿を排出する原稿排出トレイとを備え、前記原稿給紙搬送部は、前記原稿載置トレイと第１読取位置との間を繋ぐ搬送路として、前記原稿載置トレイ側を上方にして傾斜した第１ストレート搬送路を有しおり、前記第１ストレート搬送路における、前記第２読取部が原稿を読み取る第２読取位置と搬送される原稿が前記読取ガラスに接触する接触位置との間の搬送路長が、前記原稿給紙搬送部が搬送可能な、Ａ５サイズよりも小さく普通紙よりも硬い名刺や樹脂カード等の小サイズハード原稿の搬送方向における原稿長よりも大きく設定されていることを特徴としている。
【００１７】
上記構成によれば、原稿載置トレイに載置された原稿は、原稿給紙搬送部にて給紙され、搬送される。その間、まずは、原稿搬送方向上流側に配置された第２読取部にて一方の面が読み取られ、続いて、第２読取部よりも原稿搬送方向下流側に配置された第１読取部にて読取ガラスを介して他方の面が読み取られる。第１読取部を通過した原稿は、その後、原稿排出トレイへと排出される。
【００１８】
ここで、原稿載置トレイと第１読取部との間を繋ぐ第１ストレート搬送路は、原稿載置トレイ側を上方にして傾斜しているので、名刺や樹脂カード等の小サイズハード原稿の場合、第１読取位置に設けられた読取ガラスに接触して振動し、搬送ぶれを発生させる。このとき、小サイズハード原稿の後の部分がまだ第２読取位置にあり、第２読取部による読み取りが行われている最中であれば、読み取りぶれを起こすこととなる。
【００１９】
これに対し、上記構成では、第１ストレート搬送路における、第２読取位置と搬送される原稿が読取ガラスに接触する接触位置との間の搬送路長が、原稿給紙搬送部が搬送可能な、小サイズハード原稿の搬送方向における予め定められる原稿長よりも大きく設定されているので、小サイズハード原稿が、第１読取位置に設けられた読取ガラスに接触して振動しても、第２読取部による読み取りは既に完了しており、読み取りぶれを起こすことがない。
【００２０】
また、第１ストレート搬送路は、傾斜を持たせた構成としているので、原稿給紙搬送部の例えば給紙ローラ対や搬送ローラ対における下方側ローラを設置するスペースを、読取ガラスの面よりも上に確保でき、設計が容易で、かつ設計上の自由度も高く確保できる。
【００２１】
本発明の原稿読取装置、或いは本発明の画像形成装置に備えられる原稿読取装置においては、さらに、前記小サイズハード原稿に含まれる原稿として、搬送方向における原稿長が異なる複数種類の原稿がある場合、前記第１ストレート搬送路における、前記第２読取位置と前記接触位置との間の搬送路長は、前記小サイズハード原稿に含まれる搬送方向の原稿長がそれぞれ異なる複数種類の原稿のうち、搬送方向における原稿長が最も長い原稿に合わせて設定されていることが好ましい。
【００２２】
小サイズハード原稿には、名刺や、免許証、会員証等のカード類が含まれており、搬送方向における原稿長は、種々異なっている。例えば名刺は９１ｍｍであるのに対し、カード類は凡そ８５ｍｍのものが多く、免許証は８５．６ｍｍである。したがって、このような扱える小サイズハード原稿の中の、搬送方向における原稿長が最も長いものを基準に搬送路長を定めておくことで、小サイズハード原稿に含まれる全ての原稿に対して、ぶれなく読み取ることができる。
【００２３】
本発明の原稿読取装置、或いは本発明の画像形成装置に備えられる原稿読取装置においては、さらに、前記第１ストレート搬送路における、前記第２読取位置と前記接触位置との間の搬送路長は、９１ｍｍよりも大きく設定されている構成とすることもできる。
【００２４】
上記搬送路長を９１ｍｍよりも大きく設定しておくことで、名刺や、免許証、会員証等のカード類を、ぶれなく読み取ることができる。
【００２５】
本発明の原稿読取装置、或いは本発明の画像形成装置に備えられる原稿読取装置においては、さらに、前記原稿排出トレイとして、前記原稿載置トレイの上方に配設された第１原稿排出トレイと、前記原稿載置トレイの側方に配設された第２原稿排出トレイとの２つが設けられており、前記原稿給紙搬送部は、前記第１読取位置から第１原稿排出トレイへと延びる湾曲搬送路と、前記第１読取位置から第２原稿排出トレイへと延びる第２ストレート搬送路とを有する構成とすることもできる。
【００２６】
これによれば、小サイズハード原稿は、第２ストレート搬送路を経て第２原稿排出トレイへ排出し、湾曲させることのできる通常の原稿は、湾曲搬送路を経て第１原稿排出トレイへ排出させるなどの、分離排紙が可能になる。
【００２７】
湾曲搬送路を介して第１原稿排出トレイへと排出する構成においては、原稿載置トレイに対して原稿を上向きにセットする構成とすることが好ましい。
【００２８】
これにより、原稿載置トレイの上方に、原稿載置トレイを一部覆い隠すように、第１原稿排出トレイが設けられた構成であっても、原稿載置トレイに載置した原稿のセット状態等の確認を容易に行うことができる。
【００２９】
本発明の原稿読取装置、或いは本発明の画像形成装置に備えられる原稿読取装置においては、さらに、前記第１ストレート搬送路には、原稿を搬送するための一対のローラからなる搬送ローラ対が設けられており、前記第１読取部の読取位置に最も近い搬送ローラ対は、前記第１読取部側に配されたローラの径が前記第２読取部側に配されたもう一方のローラの径よりも小さい構成とすることもできる。
【００３０】
これによれば、第１ストレート搬送路の傾斜を左右する第１読取部の読取位置に最も近い搬送ローラ対における第１読取部側に配されたローラの径を、もう一方のローラの径よりも小さい構成としているので、径の大きい方のローラにて安定した搬送力を確保しながら、第１ストレート搬送路の傾斜を小さくできる。その結果、第１読取位置への突入角度が小さくなり、ジャムなどが発生し難くなり、小サイズハード原稿の搬送が容易になる。
【００３１】
本発明の原稿読取装置、或いは本発明の画像形成装置に備えられる原稿読取装置においては、さらに、前記第１読取位置には、該読取位置に搬送された原稿を、読取側の面とは逆側の面より押さえる読取ガイドが設けられており、前記読取ガイドは、前記第２ストレート搬送路を搬送される原稿の搬送方向下流側を支点として回動自在に設けられている構成とすることもできる。
【００３２】
これによれば、読取ガイドが、第２ストレート搬送路を搬送される原稿の搬送方向下流側を支点として回動自在に設けられているので、第１ストレート搬送路から第１読取位置をへて第２ストレート搬送路へと先端部が搬送された小サイズハード原稿は、自身で読取ガイドを回動させて、第１読取位置と読取ガイドとの間にスペースを形成する。したがって、硬く湾曲しにくい小サイズハード原稿であっても、ジャムを生じることなく、第１ストレート搬送路から第２ストレート搬送路へと搬送させることができる。
【００３３】
本発明の原稿読取装置、或いは本発明の画像形成装置に備えられる原稿読取装置においては、さらに、前記第２ストレート搬送路が、前記第２は原稿排出トレイ側を上方とする傾斜を有している構成とすることもできる。
【００３４】
また、第２ストレート搬送路も傾斜を持たせた構成としているので、第２原稿排出トレイへと原稿を搬送する搬送ローラ、或いは排紙ローラ対における下方側ローラを設置するスペースを、読取ガラスの面よりも上に確保でき、設計が容易で設計上の自由度も高い構成とできる。
【発明の効果】
【００３５】
本発明の原稿読取装置は、上記課題を解決するために、原稿が載置される原稿載置トレイと、原稿載置トレイより原稿を給紙して搬送する原稿給紙搬送部と、前記原稿給紙搬送部によって搬送されてくる原稿の一方の面を、読取ガラスを介して読み取る第１読取部と、前記第１読取部が原稿を読み取る第１読取位置と前記原稿載置トレイとの間に配設され、前記原稿給紙搬送部によって搬送されてくる原稿の他方の面を読み取る第２読取部と、前記第１読取部を通過して原稿を排出する原稿排出トレイとを備え、前記原稿給紙搬送部は、前記原稿載置トレイと第１読取位置との間を繋ぐ搬送路として、前記原稿載置トレイ側を上方にして傾斜した第１ストレート搬送路を有しおり、前記第１ストレート搬送路における、前記第２読取部が原稿を読み取る第２読取位置と搬送される原稿が前記読取ガラスに接触する接触位置との間の搬送路長が、前記原稿給紙搬送部が搬送可能な、Ａ５サイズよりも小さく普通紙よりも硬い名刺や樹脂カード等の小サイズハード原稿の搬送方向における原稿長よりも大きく設定されていることを特徴としている。
【００３６】
これにより、設計が容易で自由度も高い構成でありながら、名刺や会員証等の小サイズハード原稿を、自動原稿送り装置側に設けた画像読取装置（第２読取部に相当）にて支障なく、読み取らせることができる原稿読取装置及びそれを備えた画像形成装置を提供できるという効果を奏する。
【図面の簡単な説明】
【００３７】
【図１】本発明の一実施形態における原稿読取装置を示すもので、原稿読取装置における第２画像読取装置の配置を説明する図面である。
【図２】本発明の一実施形態の原稿読取装置を備えた画像形成装置の構成を示す説明図である。
【図３】上記原稿読取装置の外観を示す斜視図である。
【図４】上記原稿読取装置の概略的な縦断面図である。
【図５】上記原稿読取装置に搭載された自動原稿送り装置における搬送ガイドを示す要部の縦断面図である。
【図６】（ａ）（ｂ）共に、上記原稿読取装置が搭載する自動原稿送り装置における、原稿搬送路を説明する図面である。
【図７】（ａ）（ｂ）共に、上記原稿読取装置が搭載する自動原稿送り装置における、第１画像読取装置の読取位置部分の構成を説明する図面である。
【発明を実施するための形態】
【００３８】
〔実施の形態１〕
本発明の一実施形態を図面に基づいて以下に説明する。
【００３９】
（画像形成装置の動作説明）
図２は、本実施の形態に係る画像形成装置１００の構成を示す説明図である。本実施の形態に係る画像形成装置１００は、外部から伝達された画像データや、自身で読み取った画像データ等に応じて、所定の記録用紙（シート）に多色の画像や、単色の画像を形成するものである。
【００４０】
図２に示すように、画像形成装置１００は、画像データに応じて画像を形成する装置本体１１０と、装置本体１１０の上方に設けられた、原稿の画像を読み取る原稿読取装置１３０とを備えている。詳細については後述するが、本実施の形態のシート搬送装置は、上記原稿読取装置１３０が備える自動原稿送り装置１２０と、装置本体１１０が備える用紙給紙搬送機構９に搭載されている。
【００４１】
装置本体１１０は、露光ユニット１、現像器２、感光体ドラム３、クリーナユニット４、帯電器５、中間転写ベルトユニット６、転写ローラ１０、定着ユニット７、給紙カセット８１、手差し給紙トレイ８２、胴内排出トレイ９１、側方排出トレイ９２、及び用紙給紙搬送機構９等を備えている。
【００４２】
本画像形成装置１００において扱われる画像データは、ブラック（Ｋ）、シアン（Ｃ）、マゼンタ（Ｍ）、イエロー（Ｙ）の各色を用いたカラー画像に応じたものである。従って、現像器２、感光体ドラム３、帯電器５、クリーナユニット４は、各色に応じた４種類の潜像を形成するようにそれぞれ４個ずつ設けられ、それぞれブラック、シアン、マゼンタ、イエローに設定され、これらによって４つの画像ステーションが構成されている。
【００４３】
帯電器５は、感光体ドラム３の表面を所定の電位に均一に帯電させるための帯電手段であり、図２に示すようなチャージャ型の他、接触型のローラ型やブラシ型の帯電器が用いられることもある。
【００４４】
露光ユニット１は、レーザ出射部及び反射ミラー等を備えたレーザスキャニングユニット（ＬＳＵ）として構成される。露光ユニット１は、レーザビームを走査するポリゴンミラーと、ポリゴンミラーによって反射されたレーザ光を感光体ドラム３に導くためのレンズやミラー等の光学要素が配置されている。露光ユニット１を構成する光走査装置の構成は、後述して具体的に説明する。また露光ユニット１としては、この他発光素子をアレイ状に並べた例えばＥＬやＬＥＤ書込みヘッドを用いる手法も採用できる。
【００４５】
露光ユニット１は、帯電された感光体ドラム３を外部より入力された画像データ、或いは原稿読取装置１３０にて読み取った画像データに応じて露光することにより、その表面に、画像データに応じた静電潜像を形成する機能を有する。現像器２はそれぞれの感光体ドラム３上に形成された静電潜像を４色（ＹＭＣＫ）のトナーにより顕像化するものである。またクリーナユニット４は、現像・画像転写後における感光体ドラム３上の表面に残留したトナーを、除去・回収する。
【００４６】
感光体ドラム３の上方に配置されている中間転写ベルトユニット６は、中間転写ベルト６１、中間転写ベルト駆動ローラ６２、中間転写ベルト従動ローラ６３、中間転写ローラ６４、及び中間転写ベルトクリーニングユニット６５を備えている。上記中間転写ローラ６４は、ＹＭＣＫ用の各色に対応して４本設けられている。
【００４７】
中間転写ベルト駆動ローラ６２、中間転写ベルト従動ローラ６３、及び中間転写ローラ６４は、中間転写ベルト６１を張架して回転駆動させる。また各中間転写ローラ６４は、感光体ドラム３のトナー像を、中間転写ベルト６１上に転写するための転写バイアスを与える。
【００４８】
中間転写ベルト６１は、各感光体ドラム３に接触するように設けられている。そして、感光体ドラム３に形成された各色のトナー像を中間転写ベルト６１に順次的に重ねて転写することによって、中間転写ベルト６１上にカラーのトナー像（多色トナー像）を形成する機能を有している。中間転写ベルト６１は、例えば厚さ１００μｍ〜１５０μｍ程度のフィルムを用いて無端状に形成されている。
【００４９】
感光体ドラム３から中間転写ベルト６１へのトナー像の転写は、中間転写ベルト６１の裏側に接触している中間転写ローラ６４によって行われる。中間転写ローラ６４には、トナー像を転写するために高電圧の転写バイアス（トナーの帯電極性（−）とは逆極性（＋）の高電圧）が印加されている。中間転写ローラ６４は、直径８〜１０ｍｍの金属（例えばステンレス）軸をベースとし、その表面が導電性の弾性材（例えばＥＰＤＭ，発泡ウレタン等）により覆われているローラである。この導電性の弾性材により、中間転写ベルト６１に対して均一に高電圧を印加することができる。本実施形態では転写電極としてローラ形状を使用しているが、それ以外にブラシなども用いることが可能である。
【００５０】
上述のように各感光体ドラム３上で各色相に応じて顕像化された静電像は中間転写ベルト６１で積層される。このように、積層された画像情報は中間転写ベルト６１の回転によって、後述の用紙と中間転写ベルト６１の接触位置に配置される転写ローラ１０によって用紙上に転写される。
【００５１】
このとき、中間転写ベルト６１と転写ローラ１０は所定ニップで圧接されると共に、転写ローラ１０にはトナーを用紙に転写させるための電圧が印加される（トナーの帯電極性（−）とは逆極性（＋）の高電圧）。さらに、転写ローラ１０は上記ニップを定常的に得るために、転写ローラ１０もしくは前記中間転写ベルト駆動ローラ６２の何れか一方を硬質材料（金属等）とし、他方を弾性ローラ等の軟質材料（弾性ゴムローラ、または発泡性樹脂ローラ等々）が用いられる。
【００５２】
また、上記のように、感光体ドラム３に接触することにより中間転写ベルト６１に付着したトナー、もしくは転写ローラ１０によって用紙上に転写が行われず中間転写ベルト６１上に残存したトナーは、次工程でトナーの混色を発生させる原因となるために、中間転写ベルトクリーニングユニット６５によって除去・回収されるように設定されている。中間転写ベルトクリーニングユニット６５には、中間転写ベルト６１に接触する例えばクリーニング部材としてクリーニングブレードが備えられており、クリーニングブレードが接触する中間転写ベルト６１は、裏側から中間転写ベルト従動ローラ６３で支持されている。
【００５３】
給紙カセット８１は、画像形成に使用する記録用紙（シート）を蓄積しておくためのトレイであり、装置本体１１０の露光ユニット１の下側に設けられている。また、装置本体１１０の側方に設けられた手差し給紙トレイ８２にも画像形成に使用する記録用紙を置くことができる。
【００５４】
装置本体１１０の上方に設けられている胴内排出トレイ９１は、Ａ５〜Ａ３までの印刷済みの記録用紙を集積するためのトレイである。一方、装置本体１１０の側方に設けられた側方排出トレイは、Ａ５よりも小さい、封筒や名刺サイズの印刷済みの記録用紙を集積するための折り畳み可能なトレイである。
【００５５】
用紙給紙搬送機構９は、給紙カセット８１や手差し給紙トレイ８２のシートを転写ローラ１０や定着ユニット７を経由させて排出トレイ９１，９２に送るためのもので、略垂直形状の用紙搬送路Ｓ、及び該用紙搬送路Ｓの近傍に配設された、ピックアップローラ１１ａ，１１ｂ、複数の搬送ローラ対１２ａ〜１２ｄ，レジストローラ１３等を備えている。
【００５６】
搬送ローラ対１２ａ〜１２ｄは、シートの搬送を促進・補助するための小型のローラであり、用紙搬送路Ｓに沿って複数設けられている。また、ピックアップローラ１１ａは、給紙カセット８１の端部近傍に備えられ、給紙カセット８１からシートを１枚ずつピックアップして用紙搬送路Ｓに供給する。同様にまたピックアップローラ１１ｂは、手差し給紙カセット８２の端部近傍に備えられ、手差し給紙カセット８２からシートを１枚ずつピックアップして用紙搬送路Ｓに供給する。用紙給紙搬送機構９は、記録用紙を用紙搬送路Ｓの中央を基準に搬送するセンター基準に設計されている。
【００５７】
本画像形成装置１００においては、５５ｍｍ×９１ｍｍの名刺や、５５ｍｍ×８５ｍｍのカード類と同じサイズの記録用紙や、封筒を記録用紙として搬送し、可能の形成を可能としている。そのため、用紙給紙搬送機構９も、名刺や、カード類と同じサイズの小サイズ記録用紙（封筒を含む）を縦搬送し得るように構成されている。縦搬送とは、記録用紙の長手方向が記録用紙の搬送方向となるように搬送することである。
【００５８】
具体的には、搬送ローラ対１２ａ〜１２ｄにおける軸と軸との間の距離、及び各軸に設けられた、ローラ部材の部材間距離が、装置本体１１０が扱うことのできる最小サイズの記録用紙の搬送を促進・補助しえるように設定されている。
【００５９】
そして、装置本体１１０においては、用紙給紙搬送機構９は、記録用紙が、通常のＡ５〜Ａ３サイズの用紙からなる記録用紙である場合は、図２に示すように、Ｕ字型に湾曲した分岐搬送路ｓ１ａにて原稿を搬送して胴内排出トレイ９１に排紙し、記録用紙が、名刺やカード、封筒等の、原稿搬送方向に直交する方向のサイズが、Ａ５の短手方向のサイズよりも小さい所定サイズ以下の小サイズ記録用紙である場合には、分岐搬送路ｓ１ｂにて搬送して側方排出トレイ９２に排紙するようになっている。
【００６０】
画像形成装置１００は、図示しない制御部を備える。この制御部は、画像形成装置１００の動作、つまり、装置本体１１０及び原稿読取装置１３０の各動作を制御するものであり、例えば、ＣＰＵ、ＲＯＭ、ＲＡＭ、不揮発性メモリ及び入力回路出力回路から構成されている。
【００６１】
ＲＯＭは、ＣＰＵが実行する処理の手順である制御プログラムを格納する。ＲＡＭは作業用のワークエリアを提供する。不揮発性メモリは制御に必要なデータをバックアップして保持する。入力回路は、センサやスイッチからの入力信号が接続され、入力バッファやＡ／Ｄ変換回路を含む。出力回路は、モータやソレノイド、ランプなどの負荷を駆動するためのドライバを含む。
【００６２】
制御部は、印字要求を受け付けると、印字要求に応じて記録用紙がセットされている給紙カセット８１或いは手差し給紙トレイ８２を選択し、ピックアップローラ１１ａ或いは１１ｂによって記録用紙を給紙して、用紙搬送路Ｓへと供給する。用紙搬送路Ｓに供給された用紙は、用紙搬送路Ｓに備えられた搬送ローラ対１２ａによってレジストローラ１３まで搬送される。制御部は、記録用紙の先端がレジストローラ１３に到達すると、レジストローラ１３の回転を一旦停止し、記録用紙の先端と中間転写ベルト６１上の画像情報とが合致するタイミングで回転を再開させる。これによって、記録用紙は、中間転写ベルトユニット６と転写ローラ１０との間に、記録用紙の先端と中間転写ベルト６１上の画像情報とが合致するタイミングで搬送され、この間を通過することで、画像情報に対応するトナー像が転写される。その後、記録用紙は、定着ユニット７へと搬送され、記録用紙上にトナー像が固着される。
【００６３】
制御部は、片面印字であれば、定着ユニット７を一度通過した記録用紙を、定着ユニット７から排出トレイ９１，９２へと延びる、用紙搬送路Ｓの一部である部分搬送路Ｓ１に供給する。この部分搬送路Ｓ１を搬送される記録用紙は、そのサイズに応じて、Ａ５〜Ａ３サイズのものは、胴内排出トレイ９１に排紙され、Ａ５よりも小さいサイズのものは、側方排出トレイ９２へと排紙される。
【００６４】
一方、制御部は、両面印字であれば、第２面にも画像を形成すべく、定着ユニット７を一度通過した記録用紙を、定着ユニット７からレジストローラ１３へと延びる、用紙搬送路Ｓの一部である反転部分搬送路Ｓ２に供給する。この反転部分搬送路Ｓ２を搬送される記録用紙は、再びレジストローラ１３へ至り、第１面への印刷と同様に、中間転写ベルトユニット６と転写ローラ１０との間に、記録用紙の先端と中間転写ベルト６１上の画像情報とが合致するタイミングで搬送され、トナー像が転写された後、定着ユニット７へと搬送され、記録用紙上にトナー像が固着される。その後は、片面印字の場合と同様に、定着ユニット７から排出トレイ９１，９２へと延びる部分搬送路Ｓ１に供給され、サイズに応じて、胴内排出トレイ９１或いは側方排出トレイ９２へ排紙される。
【００６５】
（原稿読取装置の概要）
図３は、本実施の形態のシート搬送装置を搭載した自動原稿送り装置１２０を備えた原稿読取装置１３０の外観を示す斜視図である。図４は、図３に示した原稿読取装置１３０の概略的な縦断面図である。
【００６６】
図４に示すように、本実施の形態の原稿読取装置１３０は、自動原稿送り装置（原稿給紙搬送部；以下、ＡＤＦと称する）１２０、第１画像読取装置（第１読取部）２１０、第２画像読取装置（第２読取部）２２０、及び第１画像読取装置２１０を収容する主走査部１４０から構成されている。
【００６７】
ＡＤＦ１２０は、原稿を太矢印で示す原稿搬送路Ｆ１或いはＦ２に沿って自動的に搬送するものである。第１画像読取装置２１０は、搬送されてきた原稿の下面の画像を読み取る。第２画像読取装置２２０は、搬送されてきた原稿の上面の画像を読み取る。
【００６８】
第１画像読取装置２１０と第２画像読取装置２２０とは、同一の構成を有しており、光源２１１、第１〜第４ミラー２１２ａ〜２１２ｄ、レンズ２１３及びＣＣＤ（イメージセンサ）２１４を備えた縮小光学系の画像読取装置である。なお、図４においては、第１画像読取装置２１０のみ部材番号を付している。第２画像読取装置２２０は、ＡＤＦ１２０内に収容されている。第２画像読取装置２２０は、密着光学系の画像読取装置としてもよい。
【００６９】
原稿読取装置１３０は、装置本体１１０の上に配置されるものであり、主走査部１４０が装置本体１１０上方に固定配置される。ＡＤＦ１２０と主走査部１４０とはヒンジ（図示せず）によって連結され、ＡＤＦ１２０はヒンジの回動によって主走査部１４０に対して開閉可能となっている。
【００７０】
主走査部１４０は、主として筐体１４１、透明なガラス板からなるプラテン板１４２、及び筐体１４１内に収容された第１画像読取装置２１０から構成されている。主走査部１４０は、ユーザーが原稿をプラテン板１４２上に載置して原稿画像の読み取りを行う原稿固定方式による画像読み取りと、ＡＤＦ１２０によって自動的に原稿を搬送しながら原稿画像を読み取る原稿移動方式の両方式に対応している。
【００７１】
原稿固定方式によって原稿画像を読み取る場合、第１画像読取装置２１０が、プラテン板１４２上に載置された原稿に対して光を照射しながら一定の速度で移動して原稿の画像を走査する。ＡＤＦ１２０の下面は、主走査部１４０のプラテン板１４２上に載置された読み取り原稿を上から押さえる押さえ板となっている。
【００７２】
一方、原稿移動方式によって原稿画像を読み取る場合は、第１画像読取装置２１０は、図４に示されるホームポジションに静止したまま、ＡＤＦ１２０によってホームポジションの上部を通過するように搬送される原稿に対して光を照射して画像を走査する。ＡＤＦ１２０には、第１画像読取装置２１０がホームポジションに静止した状態で原稿を読み取る位置（第１読取位置）に、原稿を押さえる読取ガイド１５１が設けられている。
【００７３】
ＡＤＦ１２０は、上記読取ガイド１５１の他、原稿載置トレイ１２６、原稿規制ガイド１２７、ピックアップローラ１２１、給紙ローラ対１２３、複数の搬送ローラ対１２２（１２２ａ〜１２２ｃ）、上方原稿排出トレイ１２８、側方原稿排出トレイ１２９、排紙ローラ対１２４，１２５、及び上記原稿搬送路Ｆ１、Ｆ２（図６（ａ）（ｂ）参照）を形成する複数の搬送ガイドを備えている。ユニット化された第２画像読取装置２２０は、略Ｕ字状に弧を描く原稿搬送路Ｆ１内に収まるように配設されている。
【００７４】
原稿載置トレイ１２６は、ＡＤＦ１２０にて搬送する原稿が載置される台であり、原稿規制ガイド１２７は、原稿載置トレイ１２６上に載置される原稿の載置位置を規制するものである。当該ＡＤＦ１２０では、原稿を原稿搬送路Ｆ１、Ｆ２の中央を基準に搬送するセンター基準に設計されているが、端基準でもよい。
【００７５】
ピックアップローラ１２１は、原稿載置トレイ１２６に載置された原稿を１枚ずつＡＤＦ１２０の内部へ呼び込むものである。この場合、ピックアップローラ１２１は、１枚の原稿の給紙を完了するごとに一旦停止され、次の原稿の給紙を開始する際に起動される。
【００７６】
給紙ローラ対１２３は、ピックアップローラ１２１にて呼び込まれた原稿を、原稿搬送路Ｆ１、Ｆ２に供給するものである。
【００７７】
原稿搬送路Ｆ１は、原稿載置トレイ１２６から上方原稿排出トレイ１２８までをつなぐ略Ｕ字状に弧を描く、上方へ湾曲した搬送路である。一方、原稿搬送路Ｆ２は、原稿載置トレイ１２６から側方原稿排出トレイ１２９までをつなぐ搬送路であり、緩やかに「く」の字を描く搬送路となっている。
【００７８】
そして、原稿搬送路Ｆ１、Ｆ２は、詳細には、第１画像読取装置２１０の読取位置（第１読取位置）まで共通搬送路ｆにて共通化されており、第１画像読取装置２１０の原稿読取位置以降、分岐搬送路ｆ１、ｆ２に分岐している。
【００７９】
共通搬送路ｆは、図５に示すように、原稿載置トレイ１２６から読取ガイド１５１まで延びる、上下搬送ガイド対にて構成されたストレート搬送ガイド部１５２と、読取ガイド１５１及びプラテン板１４２の間にて形成されている。共通搬送路ｆは、ストレート搬送ガイド部１５２にて形成されるストレート搬送路（第１ストレート搬送路）と、読取ガイド１５１とプラテン板１４２との間に形成される、第１画像読取装置２１０による読み取りのため短いストレート搬送路とからなる。この読取ガイド１５１とプラテン板１４２との間に形成される、短いストレート搬送路の搬送路長は、後述する小サイズハード原稿の読み取りが可能なように、広く設計されている。
【００８０】
また、分岐搬送路ｆ１（湾曲搬送路）は、読取ガイド１５１から上方原稿排出トレイ１２８まで延びる、上下搬送ガイド対にて構成されたＵ字型搬送ガイド部１５３にて形成されている。
【００８１】
また、分岐搬送路ｆ２（第２ストレート搬送路）は、Ｕ字型搬送ガイド部１５３より分岐して、側方原稿排出トレイ１２９の方向に延びる平坦ガイド１７１にて形成されている。分岐搬送路ｆ２は、側方原稿排出トレイ１２９側が上方に持ち上がったストレート搬送路である。
【００８２】
搬送ローラ対１２２ａ〜１２２ｃは、原稿搬送路Ｆ１、Ｆ２に供給された原稿を、搬送ガイド部１５２、１５３、或いは平坦ガイド１７１に沿って搬送するものである。搬送ローラ対１２２ｃを通過した用紙は、分岐搬送路ｆ１、ｆ２の分岐を経て、分岐搬送路ｆ１或いは分岐搬送路ｆ２の何れかに供給されて搬送されることとなる。
【００８３】
第２画像読取装置２２０は、ユーザーから両面読み取りの要求がなされた際に、原稿搬送路Ｆを搬送される原稿の上面の画像を読み取るものである。
【００８４】
また、上方原稿排出トレイ１２８及び側方原稿排出トレイ１２９は、原稿搬送路Ｆ１、Ｆ２を搬送されてきた原稿を積載するものである。排紙ローラ対１２４は、原稿搬送路Ｆ１を搬送されてきた原稿を上方原稿排出トレイ１２８に排出するもので、排紙ローラ対１２５は、原稿搬送路Ｆ３を搬送されてきた原稿を側方原稿排出トレイ１２９に排出するものである。
【００８５】
（原稿読取装置の主要部）
本原稿読取装置１３０においては、ＡＤＦ１２０において、厚さ０．８ｍｍ以下の、５５ｍｍ×９１ｍｍの名刺、５５ｍｍ×８５ｍｍの樹脂製のカード類、５４ｍｍ×８５．６ｍｍの免許証等を小サイズハード原稿として想定しており、これらを、原稿として搬送し、画像の読み取りを可能としている。
【００８６】
なお、通常の普通紙よりなる原稿の坪量は、５０〜１２８g/ｍ^2であるので、小サイズハード原稿とは、坪量が１２８g/ｍ^2よりも大きい原稿であるとも言える。また、小サイズハード原稿は、紙製とは限らず、樹脂よりなる場合もあり、その場合は同じサイズでも坪量はより大きくなる。また、厚みに関して言えば、通常の普通紙よりなる原稿の厚みは約０．１ｍｍ程度であるが、小サイズハード原稿は、これよりも厚いものを想定している。
【００８７】
そのため、ＡＤＦ１２０は、名刺や、カード類を縦搬送し得るように構成されている。縦搬送とは、原稿の長手方向が原稿の搬送方向となるように搬送することである。具体的には、搬送ローラ対１２２ａ〜１２２ｃにおける軸と軸との間の距離、及び各軸に設けられた、ローラ部材の部材間距離が、本原稿読取装置１３０が扱うことのできる最小サイズの原稿の搬送を促進・補助しえるように設定されている。また、上述したように、読取ガイド１５１とプラテン板１４２との間に形成される、短いストレート搬送路の搬送路長は、小サイズハード原稿の読み取りが可能なように広く設計されている。
【００８８】
そして、本原稿読取装置１３０においては、ＡＤＦ１２０は、原稿が通常のＡ５〜Ａ３サイズの用紙からなる通常原稿である場合と、原稿が名刺やカード類である小サイズハード原稿である場合とで、原稿を排出するトレイを切り換えるようになっている。
【００８９】
具体的には、図６（ａ）に示すように、原稿が通常原稿である場合は、分岐搬送路ｆ１を含むＵ字型に湾曲した原稿搬送路Ｆ１にて原稿を搬送して上方原稿排出トレイ１２８に排紙する。
【００９０】
一方、原稿が小サイズハード原稿である場合には、図６（ｂ）に示すように、分岐搬送路ｆ２を含む、浅い角度で２段階に屈曲した、緩やかに「く」のを描く原稿搬送路Ｆ２にて原稿を搬送して側方原稿排出トレイ１２９に排紙するようになっている。原稿搬送路Ｆ２において、プラテン板１４２に対するストレート搬送ガイド部１５２の傾斜は、例えば１５°、平坦ガイド１７１の同傾斜は例えば１４°に設定されている。
【００９１】
また、本原稿読取装置１３０では、原稿載置トレイ１２６に対して原稿は表（おもて）面を上に向けたフェイスアップで載置されるようになっている。これは、原稿載置トレイ１２６の上方に、上方原稿排出トレイ１２８が一部被さるように設けられていても、原稿載置トレイ１２９に載置した原稿のセット状態等を確認し易くするためである。
【００９２】
そして、両面読取モードでは、原稿載置トレイ１２６に載置された原稿の上を向く面（表面）の画像が、共通搬送路ｆ内を搬送されているときであって、第２画像読取装置２２０の読取位置（第２読取位置）を通過するときに読み取られる。一方、載置された原稿の下を向く面（裏面）の画像が、同じく共通搬送路ｆ内を搬送されているときであって、読取ガイド１５１が配設されている位置に相当する第１画像読取装置の読取位置（第２読取位置）を通過するときに読み取られる。
【００９３】
また、片面読取モードでは、原稿載置トレイ１２６に載置された原稿の上を向く面（表面）の画像が、共通搬送路ｆ内を搬送されているときであって、第２画像読取装置２２０の読取位置を通過するときに読み取られる。
【００９４】
また、上記した小サイズ原稿の中でも、名刺や免許書、会員証等のカード類等からなる、厚みがあり、また硬い小サイズハード原稿の場合、第１画像読取装置２１０にて画像を読み取ることはなく、画像の読み取りは、第２画像読取装置２２０にて行うようになっている。これは、小サイズハード原稿は、硬く湾曲し難いために、第１画像読取装置２１０の読取位置となるプラテン板１４２に普通紙の原稿のように密着させることができず浮いてしまい、解像度が低下するためである。
【００９５】
ところが、小サイズハード原稿の場合、普通紙の原稿では何ら問題にならない、原稿搬送路Ｆ２における角度の浅い屈曲であっても、第１画像読取装置の読取位置手前で、プラテン板１４２に突き当たるように接触して振動を生じ、搬送ぶれに伴う読み取りぶれにて、読み取り画像に筋や、濃淡の不具合が発生することがある。
【００９６】
なお、このような搬送ぶれは、プラテン板１４２を原稿載置トレイ１２６から第１画像読取装置２１０の読取位置までの搬送ガイドに利用して、原稿載置トレイ１２６から第１画像読取装置２１０の読取位置へと延びる搬送路を水平にすることで、解決できるが、設計上容易でなく、また設計上の自由度も少なく、採用することが難しい。
【００９７】
そこで、本原稿読取装置１３０においては、図１に示すように、原稿搬送路Ｆ（共通搬送路ｆ）において、第２画像読取装置２２０の読取位置Ｐ１と、搬送される原稿の先端がプラテン板１４２に接触する位置（接触位置）Ｐ２との搬送路長Ｌを、本原稿読取装置１３０が原稿の読み取りを行う小サイズハード原稿に含まれる名刺や会員証等のカード類の中で、搬送方向の原稿長が最も長い原稿の原稿長さよりも長く設定している。
【００９８】
これにより、小サイズハード原稿は、第２画像読取装置による読み取りが終了してからプラテン板１４２に接触するので、プラテン板１４２に接触したときの振動にて、搬送ぶれが生じても、これが読み取りぶれとなることはない。
【００９９】
例えば、本原稿読取装置１３０においては、上述したように、小サイズハード原稿として、厚さ０．８ｍｍ以下の、５５ｍｍ×９１ｍｍの名刺や、５５ｍｍ×８５ｍｍの樹脂製のカード類、５４ｍｍ×８５．６ｍｍの免許証等を想定している。
【０１００】
したがって、第２画像読取装置２２０の読取位置Ｐ１と、搬送される原稿の先端がプラテン板１４２に接触する位置Ｐ２との搬送路長Ｌを、ここでは、搬送方向における原稿長が一番長い名刺にあわせて、９１ｍｍよりも長くしている。
【０１０１】
このように、小サイズハード原稿として想定している複数種類の原稿のうち、搬送方向の原稿長がより長い名刺の搬送方向の原稿長よりも、搬送路長Ｌを長く設計しておくことで、小サイズハード原稿の読み取りにおいて、読み取りぶれが生じることはない。
【０１０２】
また、本原稿読取装置１３０においては、図７（ａ）（ｂ）に示すように、ストレート搬送ガイド部１５２にて形成されるストレート搬送路に配された搬送ローラ対１２２であって、第１画像読取装置２１０の読取位置に最も近い搬送ローラ対１２２ｂは、第１画像読取装置２１０側に配されたローラ１２２ｂ-２の径が第２画像読取装置２２０側に配されたもう一方のローラ１２２ｂ−１の径よりも小さく設計されている。
【０１０３】
第１画像読取装置２１０側に配されたローラ１２２ｂ-２は、第１ストレート搬送路の傾斜を左右するものである。このローラ１２２ｂ-２の径を、もう一方のローラ１２２ｂ−１の径よりも小さくすることで、径の大きい方のローラ１２２ｂ−１にて安定した搬送力を確保しながら、第１ストレート搬送路の傾斜を小さくできる。その結果、第１の画像読取装置２１０の読取位置への突入角度が小さくなり、ジャムなどが発生し難くなり、小サイズハード原稿Ｇの搬送が容易になる。
一例として、ここでは、第１画像読取装置２１０側に配されたローラ１２２ｂ-２のローラはφ６ｍｍ（材料:ＰＯＭ）、第２画像読取装置２２０側に配されたローラ１２２ｂ-１のローラはφ１５ｍｍ(材料：ゴムローラ)に設計されている。
【０１０４】
さらに、本原稿読取装置１３０においては、図７（ａ）（ｂ）に示すように、読取ガイド１５１が、分岐搬送路ｆ２（第２ストレート搬送路）を搬送される原稿の搬送方向下流側を支点として回動自在に設けられている。より具体的には、分岐搬送路ｆ２に設けられた搬送ローラ対１２２ｃにおける径の大きい方の第２画像読取装置２２０側に配されたローラ１２２ｃ-２を支点として、回動自在に設けられ、常時、プラテン板１４２側へと圧縮スプリング１５１ａにて付勢されている。また、読取ガイド１５１の読取位置よりも原稿搬送方向上流側は、原稿が搬入され易いように開いた構成となっている。
【０１０５】
読取ガイド１５１をこのような構成とすることで、ストレート搬送ガイド部１５２にて形成されるストレート搬送路から第１画像読取装置２１０の読取位置をへて分岐搬送路ｆ２へと先端部が搬送された小サイズハード原稿Ｇは、自身で読取ガイド１５１を上方へと回動させて、第１画像読取装置２１０の読取位置となるプラテン板１４２と読取ガイド１５１との間にスペースを形成する。これにより、硬く湾曲しにくい小サイズハード原稿であっても、ジャムを生じることなく、ストレート搬送ガイド部１５２にて形成されるストレート搬送路から分岐搬送路ｆ２へと搬送させることができる。
【０１０６】
また、読取ガイド１５１とプラテン板１４２との間隔が０．５ｍｍ程度確保されるように、原稿の搬送に影響しない読取ガイド１５１の両端部に、プラテン板１４２に接触する突起を設ける構成としてもよい。０．５ｍｍ程度の間隔が常時確保されることで、小サイズハード原稿がより問題なく、第１画像読取装置２１０の読取位置を通過することができる。なお、図７（ａ）（ｂ）の一点鎖線は、第１画像読取装置２１０の読取光の光軸である。
【符号の説明】
【０１０７】
１００  画像形成装置
１１０  装置本体
１２０  自動原稿送り装置（原稿給紙搬送部）
１２１  ピックアップローラ
１２２  搬送ローラ対
１２３  給紙ローラ対
１２４，１２５  排紙ローラ対
１２６  原稿載置トレイ
１２７  原稿規制ガイド
１２８  上方原稿排出トレイ
１２９  側方原稿排出トレイ
１３０    原稿読取装置
１４０  主走査部
１４１  筐体
１４２  プラテン板（読取ガラス）
１５１  読取ガイド
１５２  ストレート搬送ガイド部（第１ストレート搬送路）
１５３  Ｕ字型搬送ガイド部（第１シート搬送ガイド）
１７１  平坦ガイド（第２ストレート搬送路）
２１０  第１画像読取装置（第１読取部）
２２０  第２画像読取装置（第２読取部）
Ｆ１    原稿搬送路
Ｆ２    原稿搬送路
ｆ      共通搬送路
ｆ１    分岐搬送路
ｆ２    分岐搬送路
Ｌ      搬送路長
Ｐ１    第２画像読取装置の読取位置
Ｐ２    原稿がプラテン板に接触する位置
【図１】
2011086988.tif 000003
【図２】
2011086988.tif 000004
【図３】
2011086988.tif 000005
【図４】
2011086988.tif 000006
【図５】
2011086988.tif 000007
【図６】
2011086988.tif 000008
【図７】
2011086988.tif 000009